(57)【要約】縦軸（１ａ）を画定し、放射線撮像を行うのに適しており、解析領域（３ａ）を画定するガントリ（３）と；ガントリ（３）を支持している軸受構造体（４）と；解析領域（３ａ）に対して医療機器を動かすのに適したロボットアーム（５）とを備える、放射線撮像デバイス（１）が提供され；軸受構造体（４）は、縦軸（１ａ）と平行して並進軸（４３ａ）を画定するガイド（４３）と；並進軸（４３ａ）に沿ってガントリ（３）及びロボットアーム（５）を動かす可動台（４４、４４ａ、４４ｂ）とを備える。【選択図】図５ｂ
2019504680.tif 000002
【特許請求の範囲】
【請求項１】
縦軸（１ａ）を画定する放射線撮像デバイス（１）であり、
−前記放射線撮像を行うのに適し、解析領域（３ａ）を画定するガントリ（３）と；
−前記ガントリ（３）を支持している軸受構造体（４）と、を備える放射線撮像デバイス（１）において、；
−前記解析領域（３ａ）に対して医療機器を動かすのに適したロボットアーム（５）を備えることを特徴とし；
−前記軸受構造体（４）が、
−前記縦軸（１ａ）と実質的に平行して並進軸（４３ａ）を画定するガイド（４３）と；
−前記並進軸（４３ａ）に沿って前記ガントリ（３）及び前記ロボットアーム（５）を動かすのに適した少なくとも１つの可動台（４４、４４ａ、４４ｂ）と、を備えることを特徴とする放射線撮像デバイス（１）。
【請求項２】
前記ガントリ（３）が、少なくとも１つの前記可動台（４４、４４ａ、４４ｂ）に接続し、放射線を発するのに適した放射源（３１）と、前記放射線が前記解析領域（３ａ）を通過した後、前記放射線を受信するのに適した検出器（３２）と、少なくとも前記放射源（３１）及び前記検出器（３２）を支持している回転子（３３）と、片持ちされた前記回転体（３３）を支持している固定子（３４）と、前記固定子（３４）に対して前記回転子（３３）の回転部材（３５）とを備え；前記少なくとも１つのロボットアーム（５）が、前記回転子（３３）に接続している、請求項１に記載の放射線撮像デバイス（１）。
【請求項３】
少なくとも１つの前記ロボットアーム（５）は、少なくとも１つの前記ロボットアーム（５）が、前記解析領域（３ａ）に重ならないように、それ自体に収縮され、前記縦軸（１ａ）に沿って前記ガントリ（３）の投影部にほぼ完全に囲まれる格納姿勢と、少なくとも１つの前記ロボットアーム（５）が、前記解析領域（３ａ）に前記医療機器を位置付けている前記ガントリ（３）の前記投影部からはみ出すように、少なくとも部分的に伸展される少なくとも１つの展開姿勢とを画定する、請求項２に記載の放射線撮像デバイス（１）。
【請求項４】
前記回転子（３３）が、前記放射源（３１）及び片持ちにされた前記検出器（３２）を支持するのに適した回転子板（３３ａ）と、前記回転子板（３３ａ）と共に、前記放射源（３１）及び前記検出器（３２）を収容するための区画（３ｂ、３ｃ）を画定する少なくとも１つの凸部（３３ｃ、３３ｄ）を備える回転子ケース（３３ｂ）と、少なくとも１つの前記凸部（３３ｃ、３３ｄ）よりも小さな軸方向拡張部を有する少なくとも１つの凹部（３３ｅ、３３ｆ）とを備え；少なくとも１つの前記ロボットアーム（５）が、前記少なくとも１つの凹部（３３ｅ、３３ｆ）で、前記回転子ケース（３３ｂ）に接続している、請求項２または３に記載の放射線撮像デバイス（１）。
【請求項５】
前記回転子ケース（３３ｂ）が、前記放射源（３１）を収容するための第１の区画（３ｂ）を画定する第１の凸部（３３ｃ）と、前記検出器（３２）を収容するための第２の区画（３ｃ）を画定する第２の凸部（３３ｄ）と、前記凸部（３３ｃ、３３ｄ）によって、相互に分離された第１の凹部（３３ｅ）と第２の凹部（３３ｆ）とを備え；前記放射線撮像デバイス（１）が、少なくとも１つの前記ロボットアーム（５）を２つ備え、各前記ロボットアーム（５）が、前記凹部（３３ｅ、３３ｆ）のうち１つで、前記回転子ケース（３３ｂ）に接続している、請求項４項に記載の放射線撮像デバイス（１）。
【請求項６】
前記可動台（４４、４４ａ、４４ｂ）が、前記ガントリ（３）及び前記ロボットアーム（５）に接続している、請求項１〜５のうちいずれか一項に記載の放射線撮像デバイス（１）。
【請求項７】
患者を支持するための上面部（２ａ）を画定しているベッド（２）を備え；前記軸受構造体（４）は、前記軸受構造体（４）と前記ベッド（２）との間の解放された空洞部（４ａ）を画定する高い位置に、前記ベッド（２）を支持するのに適しており；前記ロボットアーム（５）は、前記ロボットアーム（５）が前記解放された空洞部（４ａ）の高さ未満の高さを実質的に有する格納姿勢と、前記ロボットアーム（５）が、前記解析領域（３ａ）に前記医療機器を位置付けるように、少なくとも部分的に伸展される少なくとも１つの展開姿勢とを画定する、請求項６項に記載の放射線撮像デバイス（１）。
【請求項８】
前記軸受構造体（４）が、前記並進軸（４３ａ）に沿って、前記ガントリ（３）及び前記ロボットアーム（５）を同時に動かすように、前記ガントリ（３）及び前記ロボットアーム（５）に接続している単一の可動台（４４）を備える、請求項６〜７のうちいずれか一項に記載の放射線撮像デバイス（１）。
【請求項９】
前記軸受構造体（４）が、前記並進軸（４３ａ）に沿って、前記ガントリ（３）及び前記ロボットアーム（５）と互いに独立して動かすように、前記ガントリ（３）に接続している第１の可動台（４４ａ）、及び前記ロボットアーム（５）に接続している第２の可動台（４４ｂ）を備える、請求項６〜７のうちいずれか一項に記載の放射線撮像デバイス（１）。
【請求項１０】
前記ロボットアーム（５）に作用するトルク／力を測定するのに適した少なくとも１つの力覚センサ（５５）を備える、請求項１〜９のうちいずれか一項に記載の放射線撮像デバイス（１）。
【請求項１１】
前記ロボットアーム（５）に作用し、実質的に一定して前記力覚センサ（５５）により検出されるトルク／力を選択的に維持し、前記力覚センサ（５５）により検出される前記トルク／力と実質的に比例して、前記ロボットアーム（５）の運動を命令するのに適した制御ユニットを備える、請求項１０項に記載の放射線撮像デバイス（１）。
【請求項１２】
前記ロボットアーム（５）が、少なくとも剛体（５２、５２ａ、５２ｂ）、並びに、少なくとも１つの前記剛体（５２、５２ａ、５２ｂ）及び少なくとも１つの前記力覚センサ（５５）のうち２つを動かすのに適した少なくとも１つの機械式継手（５３）を備え；２つの前記力覚センサ（５５）が、少なくとも１つの前記剛体（５２、５２ａ，５２ｂ）のうち１つのみによって分離され、そのため前記医療機器と前記患者間との間の相互作用力／トルク、及び手術者との相互作用力／トルクが、互いに独立して２つの前記力覚センサ（５５）により検出される、請求項５〜６のうちいずれか一項に記載の放射線撮像デバイス（１）。
【請求項１３】
少なくとも１つの前記凸部（３３ｃ、３３ｄ）に配置され、前記回転子（３３）に接続している少なくとも１つの前記ロボットアーム（５）の確認手段を備える、請求項１〜１２のうちいずれか一項に記載の放射線撮像デバイス（１）。
【請求項１４】
前記確認手段が、少なくとも１つの前記凸部（３３ｃ、３３ｄ）の上部に配置される、請求項１３項に記載の放射線撮像デバイス（１）。
【請求項１５】
前記凸部（３３ｃ、３３ｅ）の上部にそれぞれ配列される前記確認手段のうち２つを備える、請求項６〜８のうちいずれか一項に記載の放射線撮像デバイス（１）。
【発明の詳細な説明】
【技術分野】
【０００１】
本発明は、請求項１に記載のプリアンブルにて詳述した形式の、放射線撮像デバイスに関する。
【０００２】
特に、本発明は、患者の内部分析のうち少なくとも一部の画像を少なくとも入手するために、医学的／獣医学的範囲において用いられるのに適した特定のデバイスに関し、したがって、上記患者の診断又は他の評価の分析を実行する。
【背景技術】
【０００３】
周知のように、現在市場に出ている放射線デバイスは、様々な分析を実行することが可能であり、類似の構造を有する。
【０００４】
実際には、ほぼすべての周知の撮像デバイスは、患者を配置するベッド、デバイスの機能を制御するのに適した制御ステーションを備え；ガントリ、即ち、分析される部分に挿入され、患者の撮像を行うのに適した空洞を有するデバイスである。
【０００５】
詳細には、ガントリには、Ｘ線放射源と、Ｘ線が分析される部分を通過した後にＸ線を受信する検出器と；患者の周辺で放射源及び検出器を同時に動かすのに適した動作システムとを確認することができる。
【０００６】
近年、撮像デバイスは、手術者が患者を治療するのを補助することが可能なロボットアームによって補われている。
【０００７】
これらの場合、室内に放射線撮像デバイスとロボットアームの両方が置かれており、撮像デバイスによって実施され取得されたものに応じて、患者の方へ動かし、したがって、ロボットアームによって医療機器（例えば放射線治療のための放射源）を患者の体部分の方へ動かして、治療する。
【先行技術文献】
【特許文献】
【０００８】
【特許文献１】欧州特許第２４４４２０７号
【特許文献２】イタリア国発明特許第ＭＩ２０１４Ａ００１２９６号
【発明の概要】
【発明が解決しようとする課題】
【０００９】
前述の従来技術は、いくつかの重要な欠点を有する。
【００１０】
第１の重要な欠点は、複雑性並びにロボットアーム及び撮像デバイスを空間的に関連させることの難しさであり、したがって、２つの構成要素のうち１つに損傷を与える可能性のある衝突を回避するために、ロボットアームとガントリとの間の相対位置を制御することである。
【００１１】
本問題の解決を試みるために、部屋には、多くの場合１つ以上のカメラが装着され、撮像デバイスとロボットアームの両方を撮影することによって、制御ステーションが撮像デバイスとロボットアームとの間の相対位置を確認することを可能にする。
【００１２】
しかしながら、この解決策は、いくつかの重要な欠点を有する。
【００１３】
第１の欠点は、室内には、多くの場合、手術者が存在し、部屋内部を動くことによって、カメラの視界を妨げ、ロボットアームと撮像デバイスとの間の相対位置の連続制御を具備することを実際に不可能にしているといった事実である。
【００１４】
このような視覚の干渉は、動かすことにより、カメラとロボットアームとの間に入ることができるガントリによってもたらされ得ることに留意されたい。
【００１５】
更に、可動式の放射線撮像デバイスの場合には、撮像デバイスはロボットアームから遠く、したがって、患者のすべての部分に到達することができず、手術者が機上の患者と共に撮像デバイスを動かすことを必要とするという点で、別の欠点が確認され得る。
【００１６】
ロボットアームが患者に到達することができないことは更に、ベッドに対する特定の位置を仮定すると、ロボットアームが所望の位置に到達するのを妨げる可能性のある手術者によって画定され得る。
【００１７】
ロボットアームのこのような動作は、手術者にとって非常に困難であり得て、とりわけ、患者を医療機器に接続しているカニューレ、点滴、又はケーブルの存在を想定すると、患者にとって特に危険であることもまた留意されたい。
【００１８】
別の重要な欠点は、手術者は、ガントリ、加えて、ロボットアームの存在のために、動作の自由度が限られ、ロボットアームが放射線撮像デバイスのガントリに隣接して領域を占めることは、手術者にとって障害となることである。
【００１９】
この状況における本発明の技術的な目的は、前述の欠点を実質的に克服することが可能な放射線撮像デバイスを発明することである。
【課題を解決するための手段】
【００２０】
上記の技術的課題の範囲内で、本発明の１つの重要な目的は、ロボットアームとデバイスの一部との間の衝突を回避するために、ロボットアームに対して容易に、及び一意に、空間的に関係するガントリを特徴とする放射線撮像デバイスを有することである。
【００２１】
本発明の別の重要な目的は、ロボットアームが撮像デバイスに配置される患者のいかなる位置にも到達することができる撮像デバイスを提供することである。
【００２２】
本発明の更なる目的は、手術者の動作の大きな自由度を確実なものとする撮像デバイスを発明することである。
【００２３】
技術的な目的及び特定の目標は、添付の請求項１に記載の放射線撮像デバイスによって達成される。
【００２４】
好ましい実施形態は、従属請求項から明白である。
【００２５】
本発明の特性及び利点は、以下における添付の図面によって、その好ましい実施形態の下記の詳細な説明から、明らかに明白である。
【図面の簡単な説明】
【００２６】
【図１ａ】放射線撮像デバイスの側面図を示す。
【図１ｂ】図１ａにおけるデバイスの正面図である。
【図２ａ】異なる姿勢における放射線撮像デバイスの側面図である。
【図２ｂ】図２ａにおけるデバイスの正面図である。
【図３ａ】本発明による別の放射線撮像デバイスの側面図を示す。
【図３ｂ】図３ａにおけるデバイスの正面図である。
【図４ａ】側面図において、異なる態勢の図３ａ〜３ｂにおけるデバイスを示す。
【図４ｂ】図４ａにおけるデバイスの正面図である。
【図５ａ】本発明による更なる放射線撮像デバイスの側面図を示す。
【図５ｂ】図５ａにおけるデバイスの正面図である。
【図６ａ】側面図において、異なる態勢の図５ａ〜５ｂにおけるデバイスを示す。
【図６ｂ】図６ａにおけるデバイスの正面図である。
【図７】図５ａ〜６ｂにおける放射線撮像デバイスの詳細を示す。
【図８】放射線撮像デバイスの部分的な横断面図に関して略図で例示する。
【図９ａ】図１ａ〜４ｂおける放射線撮像デバイスの詳細を示す。
【図９ｂ】図５ａ〜６ｂにおける放射線撮像デバイスの詳細を示す。
【図１０】図１ａ〜４ｂにおける撮像デバイス組立体の横断面図を示す。
【図１１】本発明による撮像デバイスの詳細を示す。
【図１２】図１１における詳細な別の実施例である。
【図１３】図１１における詳細な更なる実施例を示す。
【発明を実施するための形態】
【００２７】
本明細書において、手段、値、形状、及び幾何学的基準（直角度及び平行度等）は、「約」のような語、又は「ほぼ」若しくは「実質的に」といった他の類似した用語と併用する場合、測定誤差、又は生産及び／若しくは製造誤差による不正確さを除くように、とりわけ、本明細書が関係する値、測定、形状、又は幾何学的基準からのわずかな逸脱を除くように理解されるべきである。例えば、上記用語が、値に関連する場合、上記値の１０％以下の相違を示すことが好ましい。
【００２８】
加えて、「第１」、「第２」、「上部」、「下部」、「主」、及び「副」といった用いられる用語は、順序、優先関係、相対位置に必ずしも関連するというわけではないが、異なる構成要素と互いをより明確に区別するために単に用いてもよい。
【００２９】
さもなければ特定される場合を除き、以下の考察によって証明されるように、「処理」、「コンピュータ」、「演算」、「評価」等のような用語は、コンピューターシステム、ログ、又は、他の情報記憶、伝送、若しくは表示デバイス内部の物理量のように類似して表される他のデータにおけるコンピューターシステムのログ及び／又は記憶装置の電子的容量といった、身体検査として表したデータを取り扱い及び／又は処理するコンピュータ若しくは計算システムの動作及び／又は処理に関することとみなす。
【００３０】
記載の図面を参照すると、参照番号１は、本発明による放射線撮像デバイスを全体的に示す。
【００３１】
それは、患者の内部分析のうち少なくとも一部分の放射線撮像、及び、有利には、例えば手術及び治療などの医学的／獣医学的処置を行うための医学的及び獣医学的領域の両方の使用に適している。特に、撮像デバイス１は、医学的及び／又は獣医学的領域において、Ｘ線、ＣＴスキャン、蛍光透視法、若しくは他の放射線検査、手術、治療、又は、その他の医学的及び／若しくは獣医学的処置／操作の実施のために用いられるのに適している。
【００３２】
放射線撮像デバイス１は、縦軸１ａを画定し、主として、患者が横になるベッド２を備え；ガントリ３は放射線撮像を行うのに適しており、ベッド２のうち少なくとも一部を収容する解析領域３ａを画定し；軸受構造体４は、ガントリ３、及び、好ましくは解放された空洞部４ａを画定するようにベッド２を高い位置に保っているベッド２を支持し；少なくとも１つのロボットアーム５は、解析領域３ａ、したがってベッド２に対して医療機器を動かすのに適している。
【００３３】
ベッド２は実質的に完全に放射線透過性であり、適切には少なくとも部分的に炭素又は他の放射線透過性の材料でできている。
【００３４】
それは患者を支持し、患者を支持するための上面部２ａを画定するのに適しており、即ち、表面は、使用中には地面に対向して面している。
【００３５】
上面部２ａは、縦軸１ａ、及び、特に地面とほぼ平行してそれ自体を配置するのに適している。
【００３６】
ガントリ３は、主として、ガントリ３横軸の主拡張平面にある円形の拡張軌道に沿って、詳細には、縦軸１ａに対してほぼ垂直に延在する。
【００３７】
好都合には、円形軌道の拡張は、実質的に縦軸１ａと一致するガントリ３の主拡張軸を画定する。
【００３８】
それ故、ガントリ３は、その中心が実質的に縦軸１ａに位置する状態で、ほぼアーチ型になっている。特に、それは、結果として円形の、及び、正確には実質的に円筒状の解析領域３ａを画定するＣ型及び、好ましくは実質的にＯ型になっている。
【００３９】
上記解析領域３ａは、その中心が縦軸１ａに位置させることが好ましい。
【００４０】
ガントリ３は、放射線、好ましくはＸ線を放射するのに適した放射源３１と；解析領域３ａと、故に患者及びベッド２を交差させた後に、放射線を受信するのに適した検出器３２と；少なくとも放射源３１及び検出器３２を支持するのに適した回転子３３と；回転子３３を支持するのに適した固定子３４と；解析領域３ａの周囲で、正確には、実質的に縦軸１ａの中心に置かれた、放射源３１及び検出器３２の回転軌道を画定するのに適した縦軸１ａ周辺の固定子３４に対する回転子３３の回転部材３５とを備え；放射源３１、検出器３２、及び他の構成要素の指揮統制電子装置がガントリ３に存在する。
【００４１】
検出器３２は、図９ａ及び９ｂに示すように、Ｘ線に感応する表面を画定し、Ｘ線、ＣＴスキャン、及び／又は蛍光透視法を選択的に行うのに適した少なくとも１つの放射線センサ３２１と；感応する表面とほぼ平行し、かつ、適切に回転軌道にほぼ接している変動軸３２２ａに沿って放射線センサを動かすのに適した変動部３２２と；変動軸３２２ａにほぼ垂直な上昇軸３２３ａに沿って放射線センサを並進させるのに適した上昇システム３２３とを備える。
【００４２】
特に、上昇軸３２３ａはほぼ垂直であり、より詳細には、縦軸１ａに入射する。
【００４３】
変動軸３２２ａは、上昇軸３２３ａと実質的に平行である。
【００４４】
放射線センサ３２１は、平面又は凹形であって：リニアセンサ、及び、好ましくは、実質的に同一平面状にある感応する表面を画定する２つのリニアセンサ；フラットパネルとして既知であり、作動中の感応表面、即ちＸ線を検出することが可能な感応する表面部分の拡張部を変更するのに適した矩形センサ；直接的なフォトンカウンタ；デュアルエナジーセンサ；縦軸１ａの方へ向いている凹面センサ；可変後退センサ：のうち少なくとも１つを備えてもよい。
【００４５】
変動部３２２は、放射線センサ３２１に接続しているスライダと、変動軸３２２ａを画定している変動ガイドと、変動ガイド上のスライダの動作を適切に電気的に制御するモータとを備える。
【００４６】
上昇システム３２３は、好ましくは電気的に放射線センサ３２１を動かすのに適したリニアアクチュエータと、好ましくは上昇軸３２３ａに沿った変動部とを備える。
【００４７】
放射源３１は、図９ａ及び９ｂに示すように、放射軸を画定するＸ線エミッタ３１１と、場合によっては、適切に縦軸１ａとほぼ平行の傾斜軸を中心に、好ましくは実質的に静止したエミッタの焦点（焦点スポット）を実質的に保っているＸ線エミッタ３１１を回転させるのに適した傾斜システム３１２とを備える。
【００４８】
傾斜システム３１２は、傾斜軸を中心にエミッタ３１１の回転の原因となるその長さを変化させるように、適切に電気的に動力化され、エミッタ３１１に対する一端、及び回転子３３に対する他端にヒンジで取り付けられた伸縮可能な本体を備え、故に、感応する表面に対する放射軸の傾きの変動を含む。
【００４９】
焦点と感応する表面間との距離は、実質的に１．４〜０．２ｍである。
【００５０】
回転子３３（図１０、９ａ、及び９ｂ）は、そこへ放射源３１及び、縦軸１ａに対する放射源３１と反対側に、検出器３２が接続された回転子板３３ａを備え；回転子板３３ａと共に、放射源３１及び検出器３２用の回転子収容容積を画定するのに適した回転子ケース３３ｂを備える。
【００５１】
回転子板３３ａは、少なくとも放射源３１及び片持ちされた検出器３２を支持するのに適している。
【００５２】
回転子ケース３３ｂは、固定子板３３ａと共に少なくとも１つの凸部を画定するように形づくられ、放射源３１及び検出器３２用の収容空間、及び少なくとも１つの凹部は、回転子ケース３３ｂの輪郭を画定し、故に、回転子３３の輪郭は、凸部の軸方向拡張部より小さな拡張部を有する。
【００５３】
ここで、軸という用語は、本明細書の他の部分と同様に、縦軸１ａに沿って計算された距離／長さ／測定値を特定する。
【００５４】
特に、回転子ケース３３ｂ（図１０）は、放射源３１用の第１の収容区画３ｂを画定している第１の凸部３３ｃと；縦軸１ａに対して、第１の凸部３３ｃと反対側の、検出器３２用の第２の収容区画３ｃを画定している第２の凸部３３ｄと；凸部３３ｃ及び３３ｄによって相互に分けられ、凸部の軸方向拡張部よりも小さな軸方向拡張部を有し、適切に互いと同一である第１の凹部３３ｅ及び第２の凹部３３ｆとを画定する。
【００５５】
固定子３４（図１０）は、片持ちされた回転子３３を実質的に支持するのに適しており、故に、回転子３３は、固定子３４の外側に実質的に位置する。
【００５６】
固定子３４は、固定子板３４ａであって、そこへ少なくとも回転子３３上に存在する放射源３１、検出器３２、及び他の構成要素の制御装置が接続される固定子板３４ａと；固定子ケース３４ｂであって、固定子板３４ａと共に、制御装置用の固定子収容容積を画定するのに適した固定子ケース３４ｂと；及び、適切に、固定子板３４ａを、そしてそれゆえに固定子ケース３４ｂを支持している軸受構造体４に対するガゼット板３４ｃを備える。
【００５７】
板３３ａ及び３４ａは、互いに近接しており、ケース３３ｂおよび３４ｂは、プレート３３ａ及び３４ａの対向側に配置される方法に留意されたい。
【００５８】
回転部材３５は、回転子３３と一体の従車と；固定子板３４ａが回転子板３３ａを支持可能にするのに適した少なくとも１つのベアリングと；適切に電気的にエンコーダを取り付けられ、固定子板に接続され、例えば摩擦車又はベルトを介して、従車及びこのように回転子３３の回転を制御するのに適したモータとを備える。
【００５９】
固定子板３４ａ、放射源３１、検出器３２、及び、もしガントリ３に接続している場合にはロボットアーム５、並びに、回転子板３３ａに配置される他の可能性がある構成要素に設置される制御装置との間のデータの移動を行うために、ガントリ３は、相互の回転の間に、固定子３４と回転子３３との間のデータ及び／又はエネルギーの移動を画定するのに適した（ケーブルホルダチェーン又はすべり接触のような）転送手段と；適切には、上記転送手段用の収容する隙間を作り出している板３３ａと３４ａとの間に、配置されるのに適した１つ以上のスペーサ３５ａとを備える方法に留意されたい。
【００６０】
所望により、ガントリ３は、回転子板３３ａと一体の、放射源３１の冷却システム３６、及び、外科医において特定可能な手術者を補助するのに適したポインティング手段のうち少なくとも１つを備えることで、ガントリ３が中心にくるように合わせられ、それ故ベッド２に対して放射源３１及び検出器３２が中心に置かれ、したがって、患者が中心に置かれる。好ましくは、ガントリ３は、冷却システム３６及びポインティング手段３７の両方を備える。
【００６１】
冷却システム３６は、回転子板３３ａに片持して接続され、放射源３１の近くに配置され、好ましくは、第１の区画３ｂにほぼ完全に収容される。
【００６２】
ポインティング手段３７は、ベッド２上へ投影するのに適した１つ以上のレーザー放射源、及び、特に、患者上に、ガントリ３を中央に置くための光学基準を備える。
【００６３】
適切には、ポインティング手段３７は、放射源に近く、放射軸に適切に平行なベッド２上の交差部を適切に投影する第１のレーザー放射源と；ベッドにおいて縦軸１ａに平行な実質的に直線状のセグメントを、放射軸に適切に直角に投影するように、互いに対向しかつ相互に傾けられた２つの更なるレーザー放射源を備える。
【００６４】
最後に、放射源３１、検出器３２、データ／エネルギーの伝達のためのケーブル、所望によりロボットアーム５、並びに、後述のように、存在する場合には、冷却システム３６、及び／又は、ポインティング手段３７は、回転子板３３ａに接続していることに留意されたい。
【００６５】
ロボットアーム５は、特に、ベッド２に対して、例えば、放射線治療の放射源、患者に挿入される生体代行機器、及び／又は、ガントリ３に対する外科用機器（カニューレ、外科用メスなど）のような医療機器を動かすのに適している。好ましくは、ロボットアーム５は、外科用機器のガイド本体を動かすのに適している。
【００６６】
ガイド本体といった表現は、干渉軸を画定するのに適した既知の機器を画定し、その干渉軸に沿って手術者が外科用機器を動かさなければならず、好ましくは、上記外科用機器の前後往復運動は、外科用機器を患者に挿入することができる最大深さを確認している。所望により、ガイド本体は、例えば切開／操作の長さを指示する任意の前後往復運動を画定してもよい。
【００６７】
あるいは、ロボットアーム５によって可動の医療機器は、好ましい放射線形式の中で、例えば、問題の領域で外科用機器の動作／操作の確認といった関心部分の放射線確認を可能にするのに適した撮像手段を備える。
【００６８】
各ロボットアーム５は、ロボットアーム５に対する少なくとも１つの医療機器の係合手段５１を備える。
【００６９】
係合手段５１は、ロボットアーム５によって、係合可能でかつ可動な固有の医療機器を有するように、医療機器と一体である。
【００７０】
あるいは、係合手段５１は、医療機器を実施する手術及び／又は治療の形式に適応させるように、医療機器の変更を可能にするのに適している。したがって、それらは、医療機器を把持又は解放することが可能な把持部；及び、摺動軸を画定するのに適したガイド、並びに、好ましくは、係合手段５１に対する器具の摺動前後往復運動部、並びに、このようなロボットアーム５のうち１つを備えてもよい。
【００７１】
加えて、係合手段５１は、制御するのに適し得て、詳細には、医療機器を使用し得る方法もまた留意されたい。例えば、それらは、クランプの開閉又は適切な接続によって上記撮像手段の起動若しくは停止を制御してもよい。
【００７２】
ロボットアーム５は、ガントリに対して係合手段５１を動かすのに適している。このような目的のために、ロボットアーム５は、関節でつながれ、開閉され又は部分的に閉じられる運動学的連鎖から形成される。
【００７３】
ロボットアーム５は、断面において特定可能な、1つ以上の剛体５２、及び、動かすのに適した、正確には、剛体５２を相互に回転させる１つ以上の機械式継手５３を備えてもよい。
【００７４】
剛体５２との間に、アームを少なくとも１つの上記可動台及びガントリのうち１つに接続するのに適した底部剛体５２ａ、並びに、係合部５１と一体の先端部剛体５２ｂが、特定可能である。
【００７５】
機械式継手５３は、動かすのに適しており、正確には、ロボットアーム５に対して画定する剛体５２を相互に回転させ、剛体５２が相互に並置された格納姿勢（図２ａ〜２ｂ、４ａ〜４ｂ、６ａ〜６ｂ）は、結果的に、ロボットアーム５がそれ自体に収縮され、係合手段５１をベッド２と遠位に配置し、剛体５２のうち少なくとも一部が相互に離れている少なくとも１つの展開姿勢（図１ａ〜１ｂ、３ａ〜３ｂ、５ａ〜５ｂ）は、これによって、ロボットアーム５が解析領域３ａに係合手段５１を配置するように、特にベッド２と近位に、少なくとも部分的に展開される。
【００７６】
格納姿勢において、剛体５２は、上記展開姿勢の最小寸法に対して、ガントリ３の主拡張平面にて計算され、即ち展開姿勢より小さくなるように、展開姿勢の角度より小さな相互の発散角を有する。それ故、この格納姿勢では、ロボットアーム５は、最小寸法を有するようにそれ自体に収縮される。
【００７７】
正確には、格納姿勢において、ロボットアーム５は、ガントリ３（図６ａ〜６ｂ）の投影部に、ほぼ完全に入ってしまい、特に、回転子３３の投影部に、より正確には、縦軸１ａに沿った回転子ケース３３ｂの投影部に入ってしまう。あるいは（図２ａ〜２ｂ及び４ａ〜４ｂ）、格納姿勢において、ロボットアーム５は、重力傾度に対して垂直の適切に計算され、解放された空洞部４ａの高さよりも実質的に低い高さを有する。
【００７８】
展開姿勢において、ロボットアーム５は、少なくとも部分的に展開され、したがって、上記最小寸法より大きな寸法を示す。
【００７９】
詳細には、それは、解析領域３ａの係合手段５１を配置し、上面部２ａに適切に向いている上記投影部から、即ちベッド２に対して底部４１の向かい側の側面から突出する。場合によっては（図１ａ〜１ｂ及び３ａ〜３ｂ）、展開姿勢において、ロボットアーム５は、領域３ａに手段５１を配置し、上面部２ａに適切に向いて、即ちベッド２に対して底部４１と向かい側に向いて、凹部３３ｅ又は３３ｆにあるように、解放された空洞部４ａより大きな高さを有してもよい。
【００８０】
２つの姿勢の間の移行又はロボットアーム５の他のいかなる動作も、間接的な運動学的機構又は直接的な運動学的機構によって画定されることができる方法に留意されたい。したがって、たとえ明示的に述べられるとしても、本明細書に記載されているロボットアーム５のあらゆる動作は、間接的な運動学的機構又は直接的な運動学的機構による制御ユニットによって画定されるという点に留意すべきである。
【００８１】
間接的な運動学的機構といった表現は、操作空間の軌道を、即ち（係合手段５１及びこのような医療機器よって特定可能な）ロボットアーム５の末端部分の計算経路を画定する。その結果、制御ユニットは、ロボットアーム５の末端部分の上記経路を画定するために、個々の機械式継手５３の位置、速度、及び加速度を決定する。
【００８２】
直接的な運動学的機構といった表現は、関節空間における軌道計算を確認し、その中におけるロボットアーム５の末端部分の経路よりはむしろ、個々の機械式継手５３の位置、速度、及び加速度が画定される。その結果、ロボットアーム５の末端部分の経路は、ユニットによって画定されないが、機械式継手５３の位置、速度、及び加速度の結果である。
【００８３】
機械式継手５３は、好ましくは２つの隣接する剛体５２のうち１つの好適な拡張軸とほぼ直角をなす少なくとも１つの回転軸に沿って、互いに独立して及び剛体５２を相互に回転するのに適している。特に、機械式継手５３は、２つの異なった回転軸に沿って、互いに独立して及び剛体５２を相互に回転するのに適しており、それぞれが、ほぼ横切り、正確には、隣接する剛体５２のうち１つの好適な拡張軸にほぼ垂直に横切ることが好ましい。
【００８４】
機械式継手５３は、非限定的な例として、角柱状、球状、らせん状、円柱状、又はヒンジ状継手のような、電動又は非電動のさまざまな機種からなる。
【００８５】
所望により、継手５３は、可変剛性アクチュエータにて、即ち２つの剛体５２との間に、及び／又は、剛体５２と手段５１との間に配置されるアクチュエータにて確認されてもよく、それらの間で剛性を変化させることによって、上述した２つの構成要素を相互に動かすのに適している。可変剛性アクチュエータの実施例は、欧州特許第２４４４２０７号（特許文献１）の［００３０］〜［００８８］項に記載され、当該欧州特許第２４４４２０７号（特許文献１）の図１〜７において示されている。欧州特許第２４４４２０７号（特許文献１）のこれらの項及び上記図面は、参考として本明細書に組み込まれている。
【００８６】
機械式継手５３の中で、先端部の機械式継手５３ａは、先端部の剛体５２ｂと隣接する剛体５２との間に配置される。
【００８７】
先端部の機械式継手５３ａは、先端部の剛体５２ｂを回転させるのに適しており、故に、少なくとも軸の周辺のロボットアーム５の残り部分に対する係合手段５１を実質的に横向きに、及び、隣接する上記剛体５２の好適な拡張軸に対して実質的にほぼ垂直に回転させるのに適している。好ましくは、先端部継手５３ａは、ほぼ横方向に２つの軸に沿って、より好ましくは、互いに垂直に、ロボットアーム５の残り部分に対して係合手段５１を回転させるのに適している。
【００８８】
各機械式継手５３及び５３ａは、サーボモータ、即ち、上記モータによって与えられる、剛体５２、５２ａと５２ｂとの間の回転角を測定するのに好適なエンコーダを備え付けられた電動モータを備えて、安定してこのような角度を保持する。
【００８９】
上述したロボットアーム５によって動かされる医療機器の交換を可能とするために、軸受構造体４は、取り出すことができる複数の医療機器を収容するのに適した搭載ステーションを備えてもよく、したがって、ロボットアーム５により用いられることができる。
【００９０】
上記搭載ステーションは、解放された空洞部４ａの内側に収容され、正確には、ロボットアーム５に近位の支柱４２に対して接続される。
【００９１】
別の形態として、搭載ステーションは、剛体５２と一体のロボットアーム５に設けられる。
【００９２】
革新的に、ロボットアーム５は、ロボットアーム５に作用する力／トルクを検出するのに適した力覚センサ５５を少なくとも備えてもよい。
【００９３】
少なくとも１つの上記力覚センサ５５は、便宜上、図１１〜１３のみに示される。
【００９４】
力覚センサ５５は、係合手段５１が、したがって、医療機器が関心部分に対して所望の位置に保持されることが可能なようにするのに適している。
【００９５】
それは、以下の位置／速度の制御、力／トルクの制御、混成位置／力（いくつかの軸の位置及びその他のものの力／トルク）の制御、１つ以上の軸上の力／トルクよりはむしろインピーダンスの制御といった制御モードのうち少なくとも１つの機能を与える。軸という用語は、任意に画定した３本からなるデカルト軸を、機器、手段、又は周囲環境（例えば患者）によって一体的に識別するという点に留意すべきである。
【００９６】
力覚センサ５５は、排他的にではなく優先して、医療機器と、患者及び外科医の特定可能な周囲環境との間の相互作用力／トルクを測定することができる。
【００９７】
特に、それは、患者と医療機器との間の相互作用力／トルクを測定し、またその測定に基づいてロボットアーム５が手段５１、したがって、患者及び／又は特定の位置に作用する特定の力／トルクを有し、患者と接触する医療機器を保持する保持状態をロボットアーム５に対して画定するのに適している。
【００９８】
代替的に又は追加的に、ロボットアーム５の保持状態において、力覚センサ５５は、患者から係合手段５１を所定の距離に保つ。
【００９９】
適切には、力覚センサ５５は、外科医によるロボットアーム５の力／トルクの相互作用を測定するのに適しており、そのようなものに基づいて、ロボットアーム５の動作は、力覚センサ５５によって測定され、そして、このように手動でアームを動かすことが可能な手術者によって印加される力／トルクと実質的に比例する追跡状態をロボットアーム５に対して画定する。
【０１００】
知覚センサの信号５５を用いて、制御ユニットは、１つ以上の上記軸に対するロボットアームの回転及び／又は並進によって手術者が動かすことを可能にすることができる方法に留意されたい。
【０１０１】
場合によっては、制御ユニットは、一部の自由度を抑制することができ、したがって、医療機器が限定された数の抑制されない自由度を有することが可能であり、故に、力覚センサ５５は、抑制されない自由度上でのみ、上記制御モードのうち少なくとも１つの実行を可能とする。例えば、制御ユニットは、ロボットアーム５に、上記軸に沿って力覚センサ５５により測定される力に比例して、軸に沿って並進だけさせるよう命令し、そして、ロボットアーム５に、残りの軸に沿ってセンサによって測定された力、及び３本の軸に対して計算されたトルクに対抗するよう命令することができる。
【０１０２】
有利には、少なくとも１つの力覚センサ５５は、医療機器と患者との間の相互作用力／トルク、若しくは外科医による相互作用力／トルク、及び／又は上記相互作用力／トルクの組み合わせを測定することができる。結果として、それは、保持状態及び追跡状態を選択的に画定するのに適している。
【０１０３】
少なくとも１つの力覚センサ５５は、力覚センサ５５で測定されるデータに基づき、保持及び追跡状態の間にロボットアーム５を制御する制御ユニットに接続される。
【０１０４】
保持から追跡状態への移行は、手術者により制御され、及び／又は自動的に制御ユニットで測定されることができる。
【０１０５】
ロボットアーム５は、医療機器と患者との間の相互作用力／トルク、外科医による相互作用力／トルク、及び、より適切には、上記相互作用力／トルクの組み合わせを測定するのに適した単一の力覚センサ５５を備えてもよい。好ましくは単一の上記力覚センサ５５は、先端部の剛体５２ｂと残り部分のロボットアーム５との間に、より正確には、先端部の剛体５２ｂと先端部の機械式継手５３ａ（図１１）との間に配置される。
【０１０６】
この場合、制御ユニットは、手術者によって示される命令に応じて、ロボットアーム５に保持又は追跡状態のうち１つを起動させるよう命令する。代替的に又は追加的に、ユニットは、ロボットアーム５に保持又は追跡状態のうち１つを起動させるよう、自動的に（即ち手術者の介入なしに）命令することができる。
【０１０７】
好ましくは、ロボットアーム５は、手術者がロボットアーム５を動かすことが可能な、手術者によって把持されるのに適したハンドル５６を備えてもよい。
【０１０８】
ハンドル５６は、便宜上、図１１〜１３においてのみ表される。
【０１０９】
上記ハンドル５６は、先端部剛体５２ｂと適切に一体で、力覚センサ５５の下流側に配置される。下流側という用語は、ハンドルが、ロボットアーム５によって画定される運動学的機構に沿って、力覚センサ５５より係合手段５１の近くに配置されることを意味している。
【０１１０】
あるいは、ロボットアーム５は、２つの力覚センサ５５を備えてもよく、そのため、医療機器と患者との間の相互作用力／トルク、及び外科医の作業による相互作用力／トルクは、互いに独立して、その自動的認識を可能にする２つの上記力覚センサ５５によって測定される。
【０１１１】
この場合、外科医による相互作用力／トルクから、医療機器と患者との間の相互作用力／トルクを識別することが可能な制御ユニットは、ロボットアーム５に保持及び追跡状態のうち１つを起動させるよう自動的に命令することができる。
【０１１２】
単独で作用する医療機器と患者との間の相互作用力／トルク、及び外科医による相互作用力／トルクを有するため、２つの力覚センサ５５は、互いと接触しない。特に、それらは、１つ以上の剛体５２、５２ａ、及び５２ｂによって、好ましくは単一の剛体５２又は５２ｂによって、並びに、より好ましくは先端部剛体５２ｂによって相互に分離される。
【０１１３】
適切には、ロボットアーム５は、手術者がロボットアーム５を動かすことが可能な、手術者によって把持されるのに適したハンドル５６を備えてもよい。
【実施例１】
【０１１４】
２つの力覚センサ５５の配置のうち第１の非限定的実施例（図１２）は、ほぼ外科医による相互作用力／トルクだけを測定するような、ハンドル５６と先端部本体５２ｂとの間に配置された力覚センサ５５；及び医療機器と患者との間の相互作用力／トルク、及び外科医による相互作用力／トルクの両方とも測定するような、先端部本体５２ｂと先端部継手５３ａとの間に配置された他の力覚センサ５５を提供する。
【０１１５】
本実施例では、医療機器と患者との間の相互作用力／トルク、及び、外科医による相互作用力／トルクを同時に適用する場合、制御ユニットは、２つの力覚センサ５５の検出結果の差に基づく、医療機器と患者との間の相互作用力／トルクを決定することができる方法に留意されたい。
【実施例２】
【０１１６】
２つの力覚センサ５５の配置のうち第２の非限定的実施例（図１３）は、ほぼ外科医による相互作用力／トルクだけを測定するような、ハンドル５６と先端部剛体５２ｂとの間に配置される力覚センサ５５；及びほぼ医療機器と患者との間の相互作用力／トルクのみを測定するような、先端部本体５２ｂと係合手段５１との間に配置される他の力覚センサ５５を提供する。
【実施例３】
【０１１７】
２つの力覚センサ５５の配置のうち第３の非限定的実施例は、医療機器と患者との間の相互作用力／トルク、及び外科医による相互作用力／トルクの両方とも測定するような、先端部本体５２ｂと先端部継手５３ａとの間に配置される力覚センサ５５；及びほぼ医療機器と患者との間の相互作用力／トルクのみを測定するような、先端部本体５２ｂと係合手段５１との間に配置される他の力覚センサ５５を提供する。この場合、ハンドル５６及び剛体の先端部本体５２ｂは、一体となってもよい。
【０１１８】
この第３の実施例（第１の実施例のような）では、医療機器と患者との間の相互作用力／トルク、及び、外科医による相互作用力／トルクを同時に適用する場合、制御ユニットは、２つの力覚センサ５５の検出結果の差に基づく、医療機器と患者との間の相互作用力／トルクを画定することができる方法に留意されたい。
【０１１９】
所望により、ロボットアーム５が、医療機器及び／又は患者と接触状態となるように、係合手段５１に配置される追加の力覚センサ５５を備えてもよい。
【０１２０】
追加の上記力覚センサ５５は、上述の力覚センサ５５と、実質的に類似している。
【０１２１】
軸受構造体４は、ガントリ３を支持するのに適した底部４１と；底部４１に対して上昇位置にベッド２を支持するのに適した少なくとも１つの支柱４２と；底部４１と適切に一体で、縦軸１ａとほぼ平行して並進軸４３ａを画定するガイド４３と；ガイド４３に係合し、並進軸４３ａに沿ってガントリ３及びロボットアーム５を動かすのに好適な少なくとも１つの可動台４４とを備える。
【０１２２】
ガイド４３は、例えば、並進軸４３ａに沿って実質的に延在する少なくとも１つの可動台４４の並進するリードスクリューと；適切に電気的な、並進軸４３ａの周囲でリードスクリューの回転を命令するモータとを備え、このように、上記軸４３ａに沿った少なくとも１つの可動台４４の移動を構成してもよい。
【０１２３】
適切には、構造体４は、好ましくは枢動し、地面と底部４１との間に位置するのに好適な車輪４５を備え、デバイス１の移動を可能にしてもよい。
【０１２４】
底部４１及び少なくとも１つの支柱４２は、解放された空洞部４ａを画定する。詳細には、解放された空洞部４ａは、底部４１によって、下部に、即ち地面周辺に画定され；支柱４２の横方向の側面に沿って存在する場合；第２の支柱４２の第１の側面の反対側の第２の横方向の側面に沿って；所望によりベッド２より上に画定される。結果的に、それは、縦軸１ａとほぼ平行し、特に上面部２ａに対してほぼ垂直に延在する上記空胴にアクセスするための２つの開いた横断面を有する。
【０１２５】
少なくとも１つの可動台４４は、並進軸４３ａに沿ってガントリ３及びロボットアーム５を動かす可動台４４を伴って摺動するように、ガントリ３（ガゼット板３４ｃを介して）と、及びロボットアーム５に連結し、ガイド４３に係合される。
【０１２６】
更に後述するように、ロボットアーム５は、少なくとも１つの可動台４４（図１Ａ、１ｂ、２ａ、２ｂ、３ａ、３ｂ、４ａ、４ｂ）に直接接続することができるという点に留意されたい。
【０１２７】
あるいは（後述するように）、ロボットアーム５は、少なくとも１つの可動台４４に間接的に接続することができ、特に、少なくとも１つの可動台４４に接続し、並進軸４３ａに沿ってその移動を可能とする少なくとも１つの可動台４４に、ロボットアーム５を結びつけるガントリ３（図５Ａ、５ｂ、６ａ、及び６ｂ）に接続することができる。
【０１２８】
以下では、結びつけられる用語によって一意に特定される表現「直接接続される」とは、所望により接続を成し遂げるために必要とされるものを除いて、互いに接続される構成要素の間に、更なる構成要素の欠如を確認するといった点を以下で留意されたい。逆に、以下では、関連付けられた用語によって一意に特定される表現「間接的に接続される」とは、互いに接続された構成要素の間に、所望により接続を成し遂げるために必要なそれらに加えて、更なる構成要素の存在を確認する（例えば、図５ａ、５ｂ、６ａ、及び６ｂでは、ガントリ３がそれらの間にある限り、ロボットアーム５は、少なくとも１つの可動台４４に連結される）。
【０１２９】
少なくとも１つの可動台４４に直接接続しているロボットアーム５の場合、軸受構造体４は、並進軸４３ａに沿って、ガントリ及びロボットアームを同時に動かすように、ガントリ３及びロボットアーム５が接続される単一の可動台４４（図１ａ、１ｂ、２ａ、及び２ｂ）を備えてもよい。
【０１３０】
少なくとも１つの可動台４４に直接接続しているロボットアーム５の第２の実施例では、軸受構造体４は、即ち、並進軸４３ａに沿ってガントリ３を動かすのに好適なガントリ３に接続される第１の可動台４４ａ、及びロボットアーム５に接続され、ガントリ３と独立して軸線４３ａに沿ってロボットアーム５を動かすのに好適な２つの可動台（図３ａ、３ｂ、４ａ、及び４ｂ）を備えてもよい。
【０１３１】
この場合、第１の可動台４４ａ及び第２の可動台４４ｂは、並進軸４３ａに沿って互いに独立して摺動し、正確には、電動化されるのに好適であってもよい。
【０１３２】
所望により、両方とも単一の可動台４４、並びに２つの可動台４４ａ及び４４ｂの場合には、軸受構造体４は、ロボットアーム５ごとに、ロボットアーム５とそれぞれの可動台４４又は４４ｂとの間に配置され、動かすのに、特に、少なくとも並進するのに適した、少なくとも１つの移動機４６にて、上記可動台４４又は４４ｂに対するロボットアーム５を備えてもよい。
【０１３３】
移動機４６は、互いに、ほぼ横向きの、好ましくは実質的に垂直な摺動軸４６ａ及び接近軸４６ｂのうち少なくとも１つに沿ってロボットアーム５を動かすのに適している。
【０１３４】
適切には、移動機４６は、摺動軸４６ａに沿ってのみ、又は、接近軸４６ｂに沿ってのみロボットアーム５を動かすのに適している。あるいは、移動機４６は、摺動軸４６ａ、及び接近軸４６ｂに沿ってロボットアーム５を動かすのに適している。
【０１３５】
摺動軸４６ａ及び接近軸４６ｂは、表面２ａとほぼ平行である。
【０１３６】
摺動軸４６ａは、移動機４６で、ほぼ完全に解放された空洞部４ａの内部にあるパーキング位置（図２ｂ及び４ｂ）；及び空胴４ａから自由面の一部を通過して少なくとも部分的に突出する使用位置（図１ｂ及び３ｂ）を、ロボットアーム５が画定することができるように、実質的に横向き、及び特に縦軸１ａに対して垂直である。好ましくは、摺動軸４６ａは、ほぼ水平、即ち重力傾度に対して垂直である。
【０１３７】
適切には、摺動軸４６ｂに沿った移動機の前後往復運動は、２つの使用位置を有し、したがって、ロボットアーム５が空胴４ａから各自由面を通過して突出することができるように、表面２ａの幅に、少なくとも等しく、縦軸１ａに対して垂直に計算されている。あるいは、デバイス１は、反対側からベッド２に向かうように、自由面の隣に２本のアーム５をそれぞれ提供してもよい。
【０１３８】
接近軸４６ｂは、少なくとも単一の可動台４４の場合には、回転子３３とロボットアーム５との間の距離を、移動機４６が変動することを可能にするように、縦軸１ａと実質的に平行である。好ましくは、接近軸４６ｂは、重力傾度に対してほぼ垂直である。
【０１３９】
所望により、移動機４６は、回転の軸４６ｃの周囲で、好ましくは縦軸１ａに対してほぼ垂直である、より好ましくはほぼ鉛直である（即ち重力傾度とほぼ平行である）ロボットアーム５を回転させるのに適した回転台又は他の類似の機構を備える。
【０１４０】
詳細には、回転軸４６ｃは、軸４６ａ及び４６ｂに対して実質的に垂直である。
【０１４１】
あるいは、可動台４４又は４４ｂへの接続に対して、ロボットアーム５は、ガントリ３に接続させることができ、正確には、回転子板３３ａに対して対向する固定子３４の側面に配置されるように、適切に回転子３３に接続させることができる。
【０１４２】
より好ましくは、デバイス１は、凹部３３ｅ及び３３ｆのうち１つと対応して回転子３３に接続している少なくとも１つのロボットアーム５、更により好ましくは、凹部３３ｅ及び３３ｆと対応して回転子３３に各々接続している２本のアーム５を備える。
【０１４３】
ロボットアーム５は、回転子ケース３３ｂに一体的に、又は、好ましくは、図に示されない、回転子板３３ａに一体的に接続し、回転子ケースは、凹部３３ｅ及び３３ｆのうち１つに、それ自体を位置付けている回転子ケース３３ｂから突出するロボットアーム５を通じて開口部３３ｇを有する。
【０１４４】
特に、ロボットアーム５は、図７及び９ｂに示すように、ロボットアーム５を回転子板３３ａに接続するのに適した接続プラットフォーム５４を備え、正確には、回転子ケース３３ｂの開口部を通じて回転子板３３ａからの突出するように、少なくとも部分的に回転子容積内に収容される底部剛体５２ａを備える。
【０１４５】
底部剛体５２ａは、好適な拡張軸を実質的に横方向にし、特に、回転子板に対して実質的に垂直にし、より具体的には、縦軸１ａと実質的に平行にする。
【０１４６】
上記接続プラットフォーム５４は、回転式のプラットフォームであることが好ましく、したがって、底部剛体５２ａ、したがってロボットアーム５の回転軸５４ａを画定する。回転軸５４ａは、ほぼ横向きであり、特に、回転子板３３ａに対してほぼ垂直であり、より具体的には、縦軸１ａと実質的に平行である。更により詳細には、回転軸は、実質的に平行であり、正確には、底部剛体５２ａの好適な軸と実質的に一致する。
【０１４７】
剛体５２は、適切に直線的である。
【０１４８】
好ましくは、剛体５２のうち１つ以上は、伸縮自在であり、即ちその長さを変化させるのに適している。より好ましくは、少なくとも底部剛体５２ａは、上記回転子ケース３３ｂに対して回転子ケース３３ｂに対向する剛体５２を動かす好適な拡張軸に沿ったその拡張部、及び、縦軸１ａに沿った係合手段５１を変化させるように、伸縮自在である。
【０１４９】
制御ユニットは、上述した直接及び／又は間接的な運動学的機構によって、少なくともガントリ３及びロボットアーム５の操作及び動作を制御し命令するように、ケーブル及び／又はワイヤレス接続を介して、デバイス１の他の構成要素に接続している。
【０１５０】
それは、手術者がデバイス１を制御し、所望により放射線像を表示し分析可能にするのに適した、放射線撮像デバイス１及びインタフェース構成要素（タッチスクリーン、キーボードなど）を自動的に監視し、制御するのに適した制御カードを備える。
【０１５１】
加えて、制御ユニットは、使用中の医療機器及びロボットアーム５の位置、例えば、隣接した剛体５２間と、隣接した剛体５２（及び、所望により剛体５２の長さ）に対する係合手段５１の両方の傾斜角を認知し、命令するためのフロントエンドロボットを備え；適切には、機器及び搭載ステーション中のそれらの位置を知るための機器データベースを備え、それらを取り出すことができる。
【０１５２】
最後に、撮像デバイス１は、制御ユニットが個々の剛体５２の位置を認知することを可能にしたロボットアーム５を監視するのに適した監視装置６を備えてもよく、したがって、制御ユニットが、他の対象物又は手術者との衝突を回避するロボットアーム５の位置を認知するのを可能にする。
【０１５３】
監視装置６は、少なくとも解析領域３ａ、即ち操作位置に相当するベッド２の一部、それ故、医療機器による介入のための患者の一部を撮影するのに適したロボットアーム５の確認／ナビゲーション手段（以下単に確認手段のみ）を備える。
【０１５４】
場合によっては、監視装置６は、１つ以上の標識を備え、デバイスの近くの対象物を空間的に通知するのに適した、好ましくは光学的な標識を備える。
【０１５５】
詳細には、監視装置６は、ロボットアーム５、特に剛体５２と一体の１つ以上の標識を備えてもよい。あるいは、監視装置６は、確認手段が確認することができるように、医療機器に位置している１つ以上の標識を備えてもよく、したがって、ロボットアーム５によって操作される医療機器が、手術者によって動かされ、把持されるときに、空間的に通知する。更に代替的には、監視装置６は、ロボットアーム５と一体の１つ以上の標識、及び医療機器に位置している１つ以上の標識を備えてもよい。
【０１５６】
確認手段は、回転子３３に接続しており、特に凸部３３ｃ及び３３ｄのうち１つに接続しており、より具体的には、固定子３４から最大の軸方向距離を有する回転子ケース３３の表面／位置において特定可能な凸部３３ｃ及び３３ｄの上部に接続している。
【０１５７】
詳細には、確認手段は、凸部３３ｃ及び３３ｄのうち少なくとも１つにて、外部から回転子ケース３３ｂに対する回転子３３に接続しており、したがって、区画３ｂ又は３ｃの内部ではない。あるいは、それらは、区画３ｂ又は３ｃの内部に設置され、したがって、確認手段が少なくともロボットアーム５を撮影するために区画に配置されることを可能とするのに適した光学的窓を確認手段に取り付けることが好ましい。
【０１５８】
好ましくは、監視装置６は、第１の凸部３３ｃに配置される単一の確認手段を備える。あるいは、上記単一の確認手段は、第２の凸部３３ｄに配置される。更に代替的には、装置６は、凸部３３ｃ及び３３ｄの最上部に、凸部３３ｃ及び３３ｄの外側又は内側に各々配置される２つの確認手段を備える。
【０１５９】
確認手段は、光学的であり、カメラにて特定可能であることが好ましい。更に、監視装置６は、確認手段の各々に対して、回転子３３に対する確認手段の移動機を備えてもよい。
【０１６０】
移動機は：好ましくは縦軸１ａに実質的に平行な、より好ましくは、放射軸に対して実質的に垂直な軸に沿った確認手段の並進を制御するのに適したリニアアクチュエータと；縦軸１ａに対して、より適切には、放射源の放射軸に対して最適にほぼ垂直な軸に沿った確認手段の回転を命令するのに適した回転装置のうち少なくとも１つを備える。
【０１６１】
所望により、移動機は、リニアアクチュエータと回転装置の両方を備える。
【０１６２】
構造的意味で上述した放射線撮像デバイスの機能は、以下の通りである。
【０１６３】
最初に、撮像デバイス１は、格納姿勢のロボットアーム５を有する。
【０１６４】
手術者は、患者をベッド２に配置した後、特に、少なくとも部分的な分析領域３ａにて、撮像（例えば断層撮影法）の実行を命令し、３Ｄ断層撮影モデル及び図を評価して、操作位置及び軌道、言い換えると、医療機器が患者に、つまりベッド２に対して採択しなければならない座標及び／又は傾きを計画する。
【０１６５】
このような選択を確認した後、制御ユニットは、自動的に又は手術者によって与えられた命令に応答して、ロボットデータベースに基づき、所望の位置に到達するために追従されるべき軌道を決定する。例えば、それは、必要とされる剛体５２、５２ａ、と５２ｂとの間の相互の角度を計算して、操作位置における医療機器の位置決めを可能にするロボットアーム５の所望の展開姿勢を画定する。
【０１６６】
ロボットアーム５が追従する経路は、本明細書に記載されるその他全ての動作と同様に、上述した直接及び／又は間接的な運動学的機構に基づいて決定されることができる方法に留意されたい。
【０１６７】
制御ユニットは、自動的に又は手術者によって与えられた命令に基づいて、操作空間における軌道又は継手空間における軌道を選択してもよい。
【０１６８】
適切には、制御ユニットは、係合手段５１を伴う適切な医療機器が存在することを確認し、必要であれば、機器の変更を命じる。
【０１６９】
機器変更の場合には、ユニットは、可動台４４を並進させ、手段５１にある機器を置き、操作に必要とされる医療機器を取り出す搭載ステーションの方へロボットアーム５を動かす。
【０１７０】
所望の展開姿勢を決定し、係合手段５１を伴う適切な医療機器の存在を確認した後、制御ユニットは、格納姿勢から上記所望の展開姿勢へロボットアーム５の移行を指示する。
【０１７１】
次に、ガントリ３に接続しているアームについては、ユニットは、回転子３３に縦軸１ａの周囲を回転し、所望の位置にロボットアーム５をもたらすよう指示する。
【０１７２】
あるいは、２つの可動台を有する軸受構造体４の場合には、制御ユニットは、第２の可動台４４ｂに、単一の可動台４４を有する軸受構造体４の場合には、可動台４４に、ロボットアーム５が適切な位置に到達するまで、並進軸４３ａに沿って摺動するように指示する。同時に、ユニットは、ガントリ３にロボットアーム５の方へ凹部３３ｅ又は３３ｆを動かし、及び／又は、摺動軸４６ａに沿って移動機４６にロボットアーム５を動かすよう指示して、解放された空洞部４ａからの退出を支持することができ、したがって、手段５１によって操作位置に到達する。
【０１７３】
ここで、制御ユニットは、格納姿勢から上記所望の展開姿勢へロボットアーム５の通路を指示し、即ち、上記相互の傾斜角の到達まで、機械式継手５３に剛体５２を相互に回転させる。
【０１７４】
その結果、ロボットアーム５は、ユニットによって導かれ、係合手段５１が解析領域３ａ、特に表面２ａより上に、即ち操作位置に到達するまで、凹部３３ｅ及び３３ｆのうち一方を通じて解析領域３ａの方へ展開し始める。
【０１７５】
展開姿勢の達成は、係合手段５１を回転させることにより、ベッド２、したがって、患者に対して適切な傾きで医療機器を配置した先端部の機械式継手５３ａによって完了する。
【０１７６】
所望により、制御ユニットは、ロボットアーム５に、剛体５２の相互の傾きに加えて、１つ以上の伸縮自在の剛体５２の長さを変化させることにより、所望の展開姿勢をとるよう指示することができる。
【０１７７】
ロボットアーム５は、手段５１、結果的に、凸部３３ｃと３３ｄとの間、即ち操作位置に重ね合わせた係合手段５１及び医療機器から放射線捕捉の実行を可能にする放射源３１と検出器３２との間に、医療機器を配置する方法に留意されたい。このような凸部３３ｃと３３ｄとの間の係合手段５１の配置もまた、上記係合手段５１を装置６に対して認識可能にする。
【０１７８】
ロボットアーム５の動作もまた、監視装置６によって撮影され、操作領域を撮影したユニットが、ロボットアーム５の位置を確かめることができ、このように、他の対象物又は手術者による衝撃又は衝突を回避する。
【０１７９】
ここで手術が開始される。
【０１８０】
手術者は、例えば、ロボットアーム５によって占有した反対側の凹部３３ｅ及び３３ｆから操作位置に接近する外科用メスを取り出し、医療機器を挿入して、このようにそれを所望の深さで配置して、所望の長さの切開を行う。
【０１８１】
所望により、このような切開作業は、制御ユニットによって誘導されてもよく、手術者によって入力された情報に基づいて、操作軌道及び長さを決定し、このようなものに基づいて、上記経路に沿って係合手段５１の移動を指示する。
【０１８２】
この移動は、剛体５２及び／若しくは回転子３３との間の回転、並びに／又は可動台４４若しくは４４ｂの並進によって達成される。
【０１８３】
最後に、操作の実行を向上させるために、放射線デバイス１は、手術の間に、例えば呼吸に起因する操作位置の移動に追従するようにユニットにより用いられる放射線捕捉の確認（好ましくは蛍光透視法）を行い、ロボットアーム５を利用して、上記移動にもかかわらず医療機器を適切な位置に保つことができる。
【０１８４】
上記に構造的及び機能的に記載された、放射線撮像デバイスによって、革新的な使用方法が画定されることができる。
【０１８５】
このような使用方法は、空間的な位置におけるロボットアーム５の位置決め工程、医療機器の空間的な位置の保持工程、及び、所望により、空間的な位置決めの１つ以上の反復工程を備える。
【０１８６】
位置決め工程は、手術者が、ベッド２に、したがって、おそらくその上に配置される患者に対する医療機器の所望の位置を画定する工程を提供する。
【０１８７】
この工程では、手術者は、所望の空間的な位置に医療機器を配置することによってロボットアーム５を動かす。
【０１８８】
制御ユニットは、少なくとも１つの力覚センサ５５の信号、又は、手術者によって与えたれた命令を追従する信号のおかけで自動的に、追跡状態のロボットアーム５を配置する。
【０１８９】
正確には、２つの力覚センサ５５については、制御ユニットが、患者によって作用する力に対して、手術者によってロボットアーム５に作用する力を区別して、このように追跡状態でロボットアーム５を配置することが可能である。あるいは、一方の力覚センサ５５については、手術者は、その者がロボットアーム５に力を印加するであろうユニットに通知し、そのため、ユニットが追跡状態のロボットアーム５を配置する。
【０１９０】
具体的には、手術者は、力をロボットアーム５に、特にそれを動かす係合手段５１に印加する。この力は、制御ユニットに信号を送信する少なくとも１つの力覚センサ５５よって検出され、このような信号の受信に応じて、制御ユニットが、ロボットアーム５に手術者によって命令される動作を可能にするよう命令する。
【０１９１】
より具体的には、少なくとも１つの力覚センサ５５は、各々の検出軸に対して、ロボットアーム５に作用する力／トルク構成要素を検出し、各方向に、上記構成要素と比例した移動を可能にする制御ユニットにこれらの構成要素を送信する。
【０１９２】
一旦手術者がアームに印加するのを中断すると、制御ユニットは、手術者による力の欠如を示し、保持状態でロボットアーム５を配置する。あるいは、制御ユニットは、手術者によって与えられた命令の後、保持状態への移行を指示する。
【０１９３】
正確には、２つの力覚センサ５５については、制御ユニットは、手術者によって作用する力から、患者によってロボットアーム５に作用する力を区別して、このように保持状態でロボットアーム５を配置することが可能である。あるいは、一方の力覚センサ５５については、手術者は、その者がロボットアーム５に力を印加するのを止めるであろうユニットに通知し、そのため、ユニットが追跡状態にロボットアーム５を至らせる。
【０１９４】
同時に、制御ユニットは、ロボットアーム５の位置に対するデータを保存する。
【０１９５】
より具体的には、ロボットアーム５の位置決めを完了した後、即ち手術者がいかなる動作もアームに課さない場合、制御ユニットは、ロボットアーム５を制限して、アームに、即ち患者とロボットアーム５との間に作用させる圧力に対して少なくとも１つの力覚センサ５５から来るデータを保存する。
【０１９６】
あるいは、位置決め工程は、制御ユニットによって実行されてもよく、適切には、手術者よって与えられる命令に基づいて、所望の空間的な位置にロボットアーム５の配置を指示する。
【０１９７】
ロボットアーム５の空間的な位置に対してデータを保存した後、特に、少なくとも１つの力覚センサ５５によって検出された圧力に対して、位置決め工程が完了し、空間的な位置の保持工程が始まる。
【０１９８】
この段階では、ロボットアーム５は、保持状態で維持している。
【０１９９】
ここで制御ユニットは、少なくとも１つの力覚センサ５５からデータを使用して、適切な位置にロボットアーム５を維持し、このように、係合手段５１及び医療機器は、それに連結される。
【０２００】
特に、制御ユニットは、例えば、呼吸に起因する動作のような患者の動きがある場合でさえ、センサ５５によって検出された実質的に一定の圧力を保つようなアームに動作を課す。
【０２０１】
あるいは、位置決め工程及び学習工程は、標識、及び好ましくは制御ユニットにデータ接続中の少なくとも１つの力覚センサ５５を提供した医療機器を用いて実施されることができる。この場合、位置決め工程は、所望の空間的な位置にて、ロボットアーム５に取り付けられない医療機器を把持して、配置することを手術者に提供し、それにより確認手段が、医療機器上の標識を用いて、医療機器の空間的な位置を記録することを可能にする。加えて、その者は、少なくとも１つの力覚センサ５５によって検出され、制御ユニットに伝達される特定の圧力を有する患者と接触する医療機器を配置してもよい。
【０２０２】
このような保持工程が完了した場合、停止工程が開始される。
【０２０３】
この工程では、手術者は、ロボットアーム５、したがって、少なくとも１つの力覚センサ５５のおかげでこのような力を検出する制御ユニットを動かし、保存した空間的な位置から離れて動作中のロボットアーム５に手術者に追従するよう指示する。
【０２０４】
あるいは、制御ユニットは、手術者によって与えられた命令に応じて、初期位置へのロボットアーム５の帰還を課す。
【０２０５】
手術者が、保存した空間的な位置にもう１度ロボットアーム５を配置することを望む場合、使用方法によって、繰り返す位置決め工程及び保持工程のうち少なくとも１つの工程を提供されてもよい。
【０２０６】
この工程では、手術者は、実質的に、及び、少なくとも部分的に位置決め工程を繰り返すことによって、ロボットアーム５、正確には係合手段５１を配置し、したがって、医療機器は、すでに保存された空間的な位置に配置される。
【０２０７】
制御ユニットは、機械式継手５３及び５３ａのサーボモータ、並びに／又は監視装置６のおかげで、保存した空間的な位置に達したことを確認し、このように、保持工程の実行を命令する。
【０２０８】
あるいは、位置は、手術者によって与えられる適切な命令に応じて、ロボットアーム５によって自動的に集約されることができる。
【０２０９】
この場合、制御ユニットは、以前の位置決め工程における保存データを用いて、自動的に又は手術者によって与えられた命令に基づいて、記憶された空間的な位置にて医療機器の配置を指示し、力覚センサ５５のおかげで、患者による適切な接触圧力にて医療機器を配置して保つ。
【０２１０】
本発明は、いくつかの重要な利点を達成する。
【０２１１】
第１の重要な利点が、可動台及びガントリ３のうち１つに接続しているロボットアーム１は、絶対的及び限定的な方法で空間的に上記ガントリ３に関連づけられており、したがって、デバイスに外部の複雑かつ面倒な測定システムを必要としないという事実にある。
【０２１２】
そのうえ、この態様は、回転子３３の特別な形状によって更に増加し、それによって、ロボットアーム５が凹部３３ｅ又は３３ｆを通じて解析領域３ａに接近し、場合によっては、ロボットアーム５を凹部３３ｆ又は３３ｅの回転子に接続することができる。
【０２１３】
例えば、手術者がロボットアーム５によって妨げられる位置を採択することを必要とする場合、制御ユニットは、確認手段のおかげで、このような差し迫った危険を検出して、ロボットアーム５及び／又は回転子３３に、手術者が係合手段５１のない位置に到達するのを可能にする移動を課し、このように、医療機器は操作位置に対して動かされる。
【０２１４】
この状態は、デバイス１上のロボットアーム５の一体化によって達成され、このように、制御ユニットの存在によってガントリ３及びロボットアーム５に命令させることができ、したがって、ガントリ３及びロボットアーム５の動作を同期させている。
【０２１５】
この利点は、制御ユニットが手術者の位置を検出することを可能にするように、医療機器が動かされて、ロボットアーム５を用いずに手術者によって直接把持される場合でも、１つ以上の標識を医療機器に配置することによって増加する方法に留意されたい。
【０２１６】
重要な利点は、回転子３３での確認手段の、特に凸部３３ｃ及び／又は３３ｄの革新的な配置によって与えられ、それによって、上記手段は、手術者及び／又は他の構成要素が視認性を妨げ、領域の適切な撮影を阻止する危険のない操作位置を撮影することができる。
【０２１７】
実際には、例えば手術者が動かす場合、確認手段の視界を妨げる制御ユニットは、アームを適切に見ることが確認手段の不可能なことを検出し、このように回転子３３に回転するよう命令して、ロボットアーム５を調べるための最適位置に確認手段を配置する。
【０２１８】
このような利点は、回転子３３に対して確認手段を動かすことによる移動機の存在下で達成され、上記確認手段にロボットアーム５の最適な視界を約束する。
【０２１９】
そのうえ、回転子３３と通信する確認手段の配置、並びに、特に凸部３３ｃ及び／又は３３ｄは、ロボットアーム５及び確認手段を、それら相対位置の連続的な校正／調整を過剰にする絶対的及び限定的な方法で、互いに対して空間的であるようにする。
【０２２０】
制御ユニットが手術者の位置を検出することを可能にするように、医療機器が動かされて、ロボットアーム５を用いずに機器によって直接把持される場合でも、１つ以上の標識を医療機器に配置することにより、この利点が増す方法に留意されたい。
【０２２１】
別の利点は、回転子３３に接続され、特に凹部３３ｅ又は３３ｆに配置されるロボットアーム５は、操作を遅くし、又は、ケーブル及び患者に結びついた管と干渉するような動作又は中断を手術者に課すことなく、患者のすべての部分に容易に到達することができるといった事実である。
【０２２２】
重要な利点は、ガントリ３及びロボットアーム５を動かすための同じガイド４３を用いた撮像デバイス１は、非常に単純に構成され、コストが削減されるといった事実である。
【０２２３】
そのうえ、ガントリ３及びロボットアーム５を動かすための同じガイド４３の使用は、それらの位置の測定誤差のリスクを低下させ、ガントリ３及びロボットアーム５を相互に空間的に通知する際の最大精度を決定する。
【０２２４】
別の利点は、解放された空洞部４ａに留まるガイド４３に沿って摺動することが可能なロボットアーム５は、操作を遅くし、又は、ケーブル及び患者に結びついた管と干渉するような動作又は中断を手術者に課すことなく、患者のすべての部分に容易に到達することができるといった事実である。
【０２２５】
更なる重要な利点は、凹部３３ｅ及び３３ｆ、並びに、ロボットアーム５及び確認手段の特定の配置の存在下で与えられ、放射線撮像デバイス１が、従来のデバイスに対して手術者により大きな動作の自由度を提供するといった事実である。
【０２２６】
そのうえ、凹部３３ｅ及び３３ｆは、手術者が操作領域への最適な接近手段を有することができ、とりわけ、デバイス１に、走査を実行して、リアルタイムで患者及び操作の進行に対するロボットアーム５の位置を監視する。
【０２２７】
同じく重要な別の利点は、凹部３３ｅ又は３３ｆにおけるロボットアーム５の配置は、使用空間を最適化して、それによって、ロボットアームを有するガントリの全体寸法を縮小し、デバイス１の運搬を容易にすることである。
【０２２８】
特に、このような最適な空間の使用は、実質的にロボットアームのない従来のガントリの寸法に等しい寸法を有し、連結した１つ又は２つのロボットアーム５を有するガントリ３を可能にする。
【０２２９】
最後の利点は、医師又は別の人が、彼ら自身の負傷、又はロボットアーム５への衝突によってアームに損害をあたえるのを防止することを可能にする、可変なコンプライアンスアクチュエータにて特定可能な機械式継手５３及び５３ａを用いて与えられる。
【０２３０】
事実、これらの特定のアクチュエータは、可能性がある衝撃を吸収することが可能である。加えて、可能性がある衝撃によって決定される変位を測定することが可能であることによって、それらは、衝撃の後、失われた所望の位置を元に戻すことを可能にする。
【０２３１】
別の重要な利点は、手術者により容易に取り戻せる１つ以上の空間的な位置を画定することによって、ロボットアーム５の迅速かつ容易な位置決めを可能にする使用方法によって提供される。
【０２３２】
実際には、この方法によって、デバイス１が、保存されることによって、手術者による連続制御無しに獲得することができるロボットアーム５の１つ以上の空間的な位置を有することができる。
【０２３３】
加えて、革新的な保持工程によって、ロボットアームが、例えば呼吸に起因する、患者の動きを補正することができ、したがって、常に最適な位置に医療機器がいる。
【０２３４】
変形形態は、独立請求項、及び、相対的な技術的等価物に記載されている本発明の概念の要旨を逸脱しない範囲で、本発明になされ得る。上記範囲において、すべての詳細は、等価な構成要素及び材料により置き換えられてもよく、形状及び寸法は所望通りでもよい。
【０２３５】
例えば、ガントリ３は、回転子３３及び固定子３４の代わりに、伸縮自在であってよく、即ち、伸縮自在型ケースを提供して、その内側に放射源３１、検出器３２、及びガントリ３の拡張経路に実質的に沿った伸展部を収容してもよく、そして、内部収容容積と、縦軸１ａの周囲で、円形の拡張軌道に沿って、放射源３１及び／又は検出器３２の回転を画定するのに適した少なくとも１つの内部移動機とを収容する。
【０２３６】
伸縮自在のケースは、上記ガントリ３の円形の拡張軌道に沿ったガントリの角度の拡張を変更するように、アーチ型の底部モジュール及びアーチ型の底部モジュールに対する可動式アーチ型モジュールを備える。
【０２３７】
この場合、ロボットアーム５が、ガントリ３に接続しているならば、底部のアーチ型モジュールに接続されることができる。あるいは、ロボットアーム５は、移動式アーチ型モジュールに接続される。
【０２３８】
好ましくは、デバイス１は、縦軸１ａに、適切には上面部２ａに実質的に横向きの回転軸周辺で、少なくともガントリ３の回転手段を備えることもできる。
【０２３９】
回転手段は、単一の可動台デバイスの場合には、ガントリ３及びロボットアーム５を同時に回転させるように、可動台４４（又は第１の可動台４４ａ）とロボットアーム５を加えたガントリ組立体３との間に配置される。
【０２４０】
このような伸縮自在のガントリ３は、したがって、伸縮自在型の筐体、内部移動機、少なくともガントリ３の回転手段、使用可能な補正部材、及び任意の１つ以上のカバーブロックが、イタリア国発明特許第ＭＩ２０１４Ａ００１２９６号（特許文献２）の７ページ１０行目〜２６ページ２２行目、及び図１ａ〜５に記載されている。イタリア国発明特許第ＭＩ２０１４Ａ００１２９６号（特許文献２）のこれらの項及び上記図面は、参考として本明細書に組み込まれる。
【図１ａ】
2019504680.tif 000003
【図１ｂ】
2019504680.tif 000004
【図２ａ】
2019504680.tif 000005
【図２ｂ】
2019504680.tif 000006
【図３ａ】
2019504680.tif 000007
【図３ｂ】
2019504680.tif 000008
【図４ａ】
2019504680.tif 000009
【図４ｂ】
2019504680.tif 000010
【図５ａ】
2019504680.tif 000011
【図５ｂ】
2019504680.tif 000012
【図６ａ】
2019504680.tif 000013
【図６ｂ】
2019504680.tif 000014
【図７】
2019504680.tif 000015
【図８】
2019504680.tif 000016
【図９ａ】
2019504680.tif 000017
【図９ｂ】
2019504680.tif 000018
【図１０】
2019504680.tif 000019
【図１１】
2019504680.tif 000020
【図１２】
2019504680.tif 000021
【図１３】
2019504680.tif 000022
【国際調査報告】
2019504680.tif 000023
2019504680.tif 000024
2019504680.tif 000025
2019504680.tif 000026
2019504680.tif 000027